【手続補正書】
【提出日】平成17年4月27日(2005.4.27)
【手続補正１】
【補正対象書類名】明細書
【補正対象項目名】特許請求の範囲
【補正方法】変更
【補正の内容】
【特許請求の範囲】
【請求項１】
物体側から順に、外部に露出したカバーガラスと、対物レンズとよりなり、前記カバーガラスがオートクレーブ耐性を有する材質よりなり、前記対物レンズが、物体側より順に、負の屈折力を持つ前群と明るさ絞りと正の屈折力を持つ後群とより構成され、前記前群の最も物体側の面が物体側に凹面を向けたことを特徴とする撮影光学系。
【請求項２】
対物レンズであって、前記対物レンズは物体側から順に、負の屈折力を持つ前群、明るさ絞り、正の屈折力を持つ後群から構成され、前記前群が物体側に凹面を向けた負レンズよりなり、前記後群が物体側から順に、正レンズと接合レンズとよりなり、前記対物レンズが下記条件（３）、（４）、（５）を満足する。
（３）  −０．９５＜（ｒb＋ｒa）／（ｒb−ｒa）＜１．０５
（４）  １．５＜ｆＢ／ＩＨ＜２．７
（５）  νd（Ｃ）＜１９
ただし、ｒaは前群の負レンズの物体側の面の曲率半径、ｒbは前群の負レンズの像側の面の曲率半径、ｆＢは対物レンズの最も像側の面から後ろ側焦点位置までの距離、ＩＨは最大像高、νd（Ｃ）は接合レンズの負レンズのアッベ数である。
【請求項３】
物体側から順に、少なくとも外部に露出するカバーガラスと、対物レンズとからなり、前記カバーガラスがオートクレーブ耐性を有する材質からなり、前記対物レンズが、物体側より順に、負の屈折力を持つ前群と、明るさ絞りと、正の屈折力を持つ後群とよりなり、前記前群が物体側に凹面を向けた負レンズからなり、前記後群が物体側から順に正レンズと接合レンズとよりなり、前記対物レンズが次の条件（１）、（２）、（３）、（４）、（５）を満足することを特徴とする撮影光学系。
（１）  −２＜ｆ／ｒa＜−０．０２，  ｒa＜０
（２）  ０．１３＜ｄF／ｆ＜１
（３）  −０．９５＜（ｒb＋ｒa）／（ｒb−ｒa）＜１．０５
（４）  １．５＜ｆＢ／ＩＨ＜２．７
（５）  νd（Ｃ）＜１９
ただし、ｆは対物レンズ全系の焦点距離、ｒaは前群の負レンズの物体側の面の曲率半径、ｒbは前群の負レンズの像側の面の曲率半径、ｄFは前群の最も物体側に位置するレンズの像側の面から明るさ絞りまでの距離でその間にフィルターが配置されている場合も含め実寸法、ｆＢは対物レンズの最も像側の面から後ろ側焦点位置までの距離、ＩＨは最大像高、νd（Ｃ）は接合レンズの負レンズのアッベ数である。
【請求項４】
特許請求の範囲の請求項１に記載する光学系で、下記条件（１）を満足することを特徴とする撮影光学系。
（１）  −２＜ｆ／ｒa＜−０．０２，  ｒa＜０
ただし、ｆは対物レンズ全系の焦点距離、ｒaは前群の負レンズの物体側の面の曲率半径である。
【請求項５】
特許請求の範囲の請求項１に記載する光学系で、下記条件（２）を満足することを特徴とする撮影光学系。
（２）  ０．１３＜ｄF／ｆ＜１
ただし、ｄFは前群の最も物体側に位置するレンズの像側の面から明るさ絞りまでの距離で、空気以外の媒質がある場合も含めて実寸法である。
【請求項６】
特許請求の範囲の請求項２に記載する光学系で、前記後群の正レンズが物体側の面が平面である平凸レンズであることを特徴とする撮影光学系。
【請求項７】
特許請求の範囲の請求項２に記載する光学系で、前記後群の接合レンズは像側のレンズが負レンズであることを特徴とする撮影光学系。
【請求項８】
特許請求の範囲の請求項２に記載する光学系で、下記条件（２）を満足することを特徴とする撮影光学系。
（２）  ０．１３＜ｄF／ｆ＜１
ただし、ｄFは前群の最も物体側に位置するレンズの像側の面から明るさ絞りまでの距離で、空気以外の媒質がある場合も含めて実寸法である。
【請求項９】
物体側から順に、外部に露出するカバーガラスと、対物レンズとを少なくとも含み、前記カバーガラスがオートクレーブ耐性を有する材質からなり、前記対物レンズが物体側から順に、負の屈折力を持つ前群と、明るさ絞りと、正の屈折力を持つ後群とにて構成され、前群の最も物体側の面が物体側に凹面を向け、下記条件（１−１）を満足する撮影光学系。
（１−１）  −１．５＜ｆ／ｒa＜−０．０２，  ｒa＜０
ただし、ｆは対物レンズ全系の焦点距離、ｒaは前群の負レンズの物体側の面の曲率半径である。
【請求項１０】
特許請求の範囲の請求項９に記載する光学系で、下記条件（２）を満足することを特徴とする撮像光学系。
（２）  ０．１３＜ｄF／ｆ＜１
ただし、ｄFは前群の最も物体側に位置するレンズの像側の面から明るさ絞りまでの距離で、空気以外の媒質がある場合も含めて実寸法である。
【請求項１１】
物体側から順に、負の屈折力を持つ前群と、明るさ絞りと、正の屈折力を持つ後群とからなり、前群が物体側に凹面を向けた負レンズよりなり、後群が物体側から順に、物体側が平面の平凸レンズと、像側が負レンズの接合レンズとからなり、下記条件（３）、（４−１）、（５）を満足する対物レンズ。
（３）  −０．９５＜（ｒb＋ｒa）／（ｒb−ｒa）＜１．０５
（４−１）  ２＜ｆＢ／ＩＨ＜２．４
（５）  νd（Ｃ）＜１９
ただし、ｒaは前群の負レンズの物体側の面の曲率半径、ｒbは前群の負レンズの像側の面の曲率半径、ｆＢは対物レンズの最も像側の面から後ろ側焦点位置までの距離、ＩＨは最大像高、νd（Ｃ）は接合レンズの負レンズのアッベ数である。
【請求項１２】
物体側から順に、負の屈折力を持つ前群と、明るさ絞りと、正の屈折力を持つ後群とからなり、前群が物体側に凹面を向けた負レンズよりなり、後群が物体側から順に、物体側が平面の平凸レンズと、像側が負レンズの接合レンズとからなり、下記条件（２）、（３）、（４−１）、（５）を満足する対物レンズ。
（２）  ０．１３＜ｄF／ｆ＜１
（３）  −０．９５＜（ｒb＋ｒa）／（ｒb−ｒa）＜１．０５
（４−１）  ２＜ｆＢ／ＩＨ＜２．４
（５）  νd（Ｃ）＜１９
ただし、ｒaは前群の負レンズの物体側の面の曲率半径、ｒbは前群の負レンズの像側の面の曲率半径、ｆＢは対物レンズの最も像側の面から後ろ側焦点位置までの距離、ＩＨは最大像高、νd（Ｃ）は接合レンズの負レンズのアッベ数である。
【請求項１３】
物体側から順に、少なくとも外部に露出するカバーガラスと、対物レンズとからなり、前記カバーガラスがオートクレーブ耐性を有する材質からなり、前記対物レンズが、物体側より順に、負の屈折力を持つ前群と、明るさ絞りと、正の屈折力を持つ後群とよりなり、前群が物体側に凹面を向けた負レンズからなり、後群が物体側から順に正レンズと接合レンズとよりなり、前記対物レンズが、下記条件（１−１）、（２）、（３）、（４−１）、（５）を満足することを特徴とする撮影光学系。
（１−１）  −１．５＜ｆ／ｒa＜−０．０２，  ｒa＜０
（２）  ０．１３＜ｄF／ｆ＜１
（３）  −０．９５＜（ｒb＋ｒa）／（ｒb−ｒa）＜１．０５
（４−１）  ２＜ｆＢ／ＩＨ＜２．４
（５）  νd（Ｃ）＜１９
ただし、ｆは対物レンズ全系の焦点距離、ｒaは前群の負レンズの物体側の面の曲率半径、ｒbは前群の負レンズの像側の面の曲率半径、ｄFは前群の最も物体側に位置するレンズの像側の面から明るさ絞りまでの距離でその間にフィルターが配置されている場合も含め実寸法、ｆＢは対物レンズの最も像側の面から後ろ側焦点位置までの距離、ＩＨは最大像高、νd（Ｃ）は接合レンズの負レンズのアッベ数である。
【請求項１４】
特許請求の範囲の請求項１２に記載する光学系で、接合レンズが物体側より順に、正レンズと負レンズよりなることを特徴とする撮影光学系。
【請求項１５】
特許請求の範囲の請求項１３に記載する光学系で、接合レンズが物体側より順に、正レンズと負レンズよりなることを特徴とする撮影光学系。
【請求項１６】
特許請求の範囲の請求項９に記載する光学系で、撮影光学系が砒素、鉛等の有害物質を含まない材質からなることを特徴とする撮影光学系。
【請求項１７】
特許請求の範囲の請求項１１記載する光学系で、撮影光学系が砒素、鉛等の有害物質を含まない材質からなることを特徴とする撮影光学系。
【請求項１８】
特許請求の範囲の請求項１乃至１７の項のいずれかの項に記載する撮影光学系を用いた内視鏡。
【手続補正２】
【補正対象書類名】明細書
【補正対象項目名】００２４
【補正方法】変更
【補正の内容】
【００２４】
また、ゴースト光ＧＲは、図１１の（Ｂ）に示すように対物レンズＯＢＬの前群の最も物体側の面（Ｓ１）にて反射されて対物レンズＯＢＬの物体側で距離｜ｒ1｜／２の位置にていったん結像する。
【手続補正３】
【補正対象書類名】明細書
【補正対象項目名】００２５
【補正方法】変更
【補正の内容】
【００２５】
次に、光束は、図１１の（Ｃ）に示すように対物レンズＯＢＬの物体側のカバーガラスＣＧにて反射され、その対称位置である像側の距離｜ｒ1｜／２の位置Ｑに結像する。
【手続補正４】
【補正対象書類名】明細書
【補正対象項目名】００５０
【補正方法】変更
【補正の内容】
【００５０】
この条件（３）において、下限値の−０．９５超えると、負レンズの負の屈折力をその両面で分担する効果がなくなり、レンズの加工性を改善できない。また、非点収差が補正不足になり、メリディオナル像面がマイナスになりやすい。条件（３）の上限値の１．０５を超えると、負レンズの負の屈折力を両面を分担する効果がなくなり、レンズの加工性が改善されない。また、負レンズの物体側の面の曲率半径が小になり、広画角化にとって不利である。また、非点収差が補正過剰になりやすく、メリディオナル像面がプラスになりやすい。